(57)【要約】【課題】本発明は、リール脚のぐらつきを防止できるとともに、リールシート本体を握った時の感触がよく、操作性に優れるリール脚固定装置を得ることにある。【解決手段】リール脚固定装置2は、リール脚3を受ける載置面7を有する筒状のリールシート本体5と、リールシート本体5を被覆する軟質なグリップ部材20と、を備えている。グリップ部材20は、載置面7の上に位置するように延出された延出部22を一体に有する。延出部22は、載置面7にリール脚3を載せた時にリール脚3に弾性的に接触するとともに、延出部22に対応する位置では、グリップ部材20が延出部22と協働してリールシート本体5を周方向に連続して取り囲んでいる。【選択図】      図３
2008029297.tif 000002
【特許請求の範囲】
【請求項１】
リール脚を受ける載置面を有する筒状のリールシート本体と、
上記リールシート本体よりも軟質な材料で形成されて、上記リールシート本体を被覆するグリップ部材と、を具備し、
上記グリップ部材は、上記載置面の上に位置するように延出された延出部を一体に有し、上記延出部は、上記載置面に上記リール脚を載せた時に上記リール脚に弾性的に接触するとともに、上記延出部に対応する位置では、上記グリップ部材が上記延出部と協働して上記リールシート本体を周方向に連続して取り囲んでいることを特徴とするリール脚固定装置。
【請求項２】
請求項１の記載において、上記リールシート本体の外面および上記グリップ部材の内面のいずれか一方に凸部を設けるとともに、他方に上記凸部が嵌合可能な凹部を設けたことを特徴とするリール脚固定装置。
【請求項３】
請求項１の記載において、上記グリップ部材の延出部は、上記リール脚が上記載置面から取り外されている時に上記載置面から突出するとともに、上記載置面に上記リール脚を載せた時に上記リール脚と上記載置面との間で弾性的に圧縮されることを特徴とするリール脚固定装置。
【請求項４】
請求項１の記載において、上記リールシート本体は、上記延出部の内面に嵌合する凸部を有し、この凸部は、上記リールシート本体の軸方向に延びるとともに、上記凸部と上記延出部との嵌合部分は、上記載置面の上に上記リール脚を載せた時に、上記リールシート本体と上記リール脚との間で挟み込まれることを特徴とするリール脚固定装置。
【請求項５】
請求項１ないし請求項４のいずれかの記載において、上記リールシート本体に設けられ、上記リール脚の一端を上記載置面との間で保持する固定フードと、上記固定フードに対し近づいたり遠ざかる方向に移動可能であるとともに、上記固定フードに近づく方向に移動させることで上記リール脚の他端を上記載置面との間で保持する移動フードと、をさらに備えており、
上記グリップ部材の延出部は、上記リール脚の一端と他端との間に位置することを特徴とするリール脚固定装置。
【請求項６】
請求項１の記載において、上記延出部は、複数の突起部を有することを特徴とするリール脚固定装置。
【請求項７】
請求項１の記載において、上記リールシート本体は、上記載置面に位置する凹所を有し、この凹所に上記グリップ部材の延出部が嵌合することを特徴とするリール脚固定装置。
【発明の詳細な説明】
【技術分野】
【０００１】
本発明は、魚釣用リールのリール脚を支持するリールシート本体を、軟質なグリップ部材で被覆したリール脚固定装置に係り、特にそのグリップ部材の構造に関する。
【背景技術】
【０００２】
釣竿は、元竿管の手元側に魚釣用リールを固定するリール脚固定装置を備えている。リール脚固定装置は、リール脚を受け止める載置面が形成された筒状のリールシート本体と、リールシート本体にリール脚を固定する固定フードおよび移動フードとを有している。
【０００３】
固定フードは、リールシート本体に一体に形成されて、載置面に対する位置が固定的に定められている。移動フードは、固定フードに近づいたり遠ざかる方向に移動可能にリールシート本体に支持されている。この移動フードを移動させることで、リール脚を固定フードとの間で挟み込んだり、リール脚の挟み込みを解除することができ、魚釣用リールをリールシート本体に取り外し可能に固定できる。
【０００４】
ところで、例えば釣糸を巻き取って魚を釣り上げる時、リール脚とリールシート本体との固定部分に大きな負荷が作用することがあり得る。この負荷が固定フードおよび移動フードによるリール脚の固定力を上回ると、リール脚がリールシート本体に対しぐらついてしまい、釣竿の操作性に悪影響を及ぼす。
【０００５】
この改善策として、特許文献１あるいは特許文献２に開示されたリール脚固定装置では、リールシート本体の載置面に弾性部材を配置している。弾性部材は、リールシート本体よりも柔軟な材料で形成されている。弾性部材は、載置面から僅かに突出するように、その一部が載置面に埋め込まれている。
【０００６】
そのため、固定フードおよび移動フードを介してリール脚を載置面に固定すると、弾性部材がリール脚と載置面との間で圧縮されて、リール脚に弾性的に密着する。この結果、リール脚と弾性部材との接触部分に外部からの負荷に対抗するような摩擦力が付与され、この摩擦力の存在によりリール脚のぐらつきが解消される。
【特許文献１】特開２００２−１２５５３０号公報
【特許文献２】特開２００２−２１８８６９号公報
【発明の開示】
【発明が解決しようとする課題】
【０００７】
従来のリール脚固定装置によると、載置面に埋め込まれた弾性部材は、リールシート本体から独立した四角いブロックであり、載置面よりも幅が狭い。このような構成によると、リール脚の形状によっては、リール脚の両側部が弾性部材から食み出してしまい、リール脚を弾性部材で確実に受け止めることができなくなる。
【０００８】
この結果、弾性部材とリール脚との接触面積が不足し、特にリールシート本体の周方向へのリール脚のぐらつきを防止することが困難となる。
【０００９】
本発明の目的は、リールシート本体の周方向へのリール脚のぐらつきを防止でき、しかも、リールシート本体を手で握った時の感触がよく、操作性に優れるリール脚固定装置を得ることにある。
【課題を解決するための手段】
【００１０】
上記目的を達成するため、本発明の一つの形態に係るリール脚固定装置は、  
リール脚を受ける載置面を有する筒状のリールシート本体と、  
上記リールシート本体よりも軟質な材料で形成されて、上記リールシート本体を被覆するグリップ部材と、を備えている。  
上記グリップ部材は、上記載置面の上に位置するように延出された延出部を一体に有し、上記延出部は、上記載置面に上記リール脚を載せた時に上記リール脚に弾性的に接触するとともに、上記延出部に対応する位置では、上記グリップ部材が上記延出部と協働して上記リールシート本体を周方向に連続して取り囲んでいることを特徴としている。
【発明の効果】
【００１１】
本発明によれば、グリップ部材の延出部は、リール脚をリールシート本体の周方向に連続する円周面で受け止めることができる。この結果、リール脚の幅寸法がいずれの場合も、リール脚の両側部が延出部から食み出すことはない。よって、グリップ部材でリール脚を確実に受け止めることができ、リールシート本体の周方向へのリール脚のぐらつき・ずれを確実に防止できる。
【００１２】
加えて、グリップ部材はリールシート本体よりも柔らかいので、リールシート本体を手で掴んだ時の感触が良好となる。このため、リール脚のぐらつきを防止できることと合わせて、実際に魚を釣る時の操作性が向上する。
【発明を実施するための最良の形態】
【００１３】
以下本発明の第１の実施の形態を、図１ないし図８に基づいて説明する。
【００１４】
図１および図２は、釣竿の元竿管１に固定されたリール脚固定装置２を開示している。リール脚固定装置２は、元竿管１に魚釣用リールのリール脚３を取り外し可能に固定するためのものである。リール脚３は、元竿管１の軸方向に延びる連結部４を備えている。図８に示すように、連結部４は、元竿管１の曲率に沿うように円弧状に湾曲する断面形状を有している。連結部４の幅寸法Ｗは、国際規格により１５ｍｍ又は１７ｍｍに規定されている。
【００１５】
リール脚固定装置２は、元竿管１が貫通する円筒状のリールシート本体５を備えている。リールシート本体５は、例えばポリアミド、ＡＢＳ樹脂、ポリエチレンのような硬質な合成樹脂材料により形成されている。リールシート本体５は、元竿管１に接着等の手段により固定されている。
【００１６】
リールシート本体５は、リール脚３の連結部４を受け止める載置面７と、載置面７の前方に位置する筒状部８と、載置面７の後方に位置する雄ねじ部９とを一体に備えている。載置面７、筒状部８および雄ねじ部９は、元竿管１の軸方向に一列に並んでいる。
【００１７】
図３、図４、図７および図８に示すように、載置面７は、リールシート本体５の下面に露出するとともに、このリールシート本体５の軸方向に延びている。さらに、載置面７は、元竿管１の曲率に沿うように円弧状に湾曲している。
【００１８】
載置面７の前端と筒状部８との境界部分に固定フード１０が一体に形成されている。固定フ−ド１０は、載置面７よりもリールシート本体５の下方に向けて張り出している。固定フード１０は、リール脚３の連結部４の一端４ａが挿入されるスリット状の開口１１を有している。開口１１は、載置面７の後方に向けて開口している。
【００１９】
雄ねじ部９は、載置面７の後端部から筒状部８と同軸状に突出している。雄ねじ部９の外周に移動フード１３が配置されている。移動フード１３は、円筒状のフード本体１４とナット部材１５とを備えている。
【００２０】
フード本体１４は、その前端部に膨出部１６を有している。膨出部１６は、載置面７よりもリールシート本体５の下方に向けて張り出している。膨出部１６は、リール脚３の連結部４の他端４ｂが挿入されるスリット状の開口１７を有している。開口１７は、載置面７の前方に向けて開口している。
【００２１】
そのため、固定フード１０と移動フード１３とは、載置面７を間に挟んで互いに向かい合っている。
【００２２】
ナット部材１５は、フード本体１４の後端部に同軸状に連結されて、このフード本体１４と一体化されている。ナット部材１５は、リールシート本体５の雄ねじ部９にねじ込まれている。このねじ込みにより、移動フード１３は固定フード１０に近づいたり遠ざかる方向に移動可能にリールシート本体５に支持されている。
【００２３】
リール脚３の連結部４の一端４ａは、固定フード１０の開口１１に挿入されて、この固定フード１０と載置面７との間で保持されている。リール脚３の連結部４の他端４ｂは、移動フード１３を固定フード１０に向けて移動させることで、フード本体１４の膨出部１６と載置面７との間で保持される。
【００２４】
したがって、リール脚３は、固定フード１０と移動フード１３との間でリールシート本体５の軸方向に挟み込まれるとともに、両方のフード１０，１３を介して載置面７に押し付けられるような力を受ける。これにより、魚釣用リールがリールシート本体５の定位置に固定されるようになっている。
【００２５】
載置面７に対する固定フード１０および移動フード１３の位置関係は、第１の実施の形態に特定されるものではない。例えば、載置面７の前端に移動フード１３を配置するとともに、載置面７の後端に固定フード１０を配置してもよい。
【００２６】
図１に示すように、実際に魚釣を行う場合、釣人は、リール脚３を固定したリールシート本体５を片手で把持する。具体的には、片方の手の親指f1をリールシート本体５の筒状部８に押し当てた状態で、人差し指f2、中指f3および薬指f4でリールシート本体５を握るとともに、小指f5を移動フード１３のフード本体１４に掛ける。この際、人差し指f2は、筒状部８に下方から巻きつけられて、固定フード１０に接している。中指f3および薬指f4は、リールシート本体５に巻きつけられて、リール脚３の連結部４を下方から押さえるとともに、リール脚３を挟み込んでいる。
【００２７】
そのため、釣人は、リールシート本体５とリール脚３との固定部分を片手で包み込むようにして釣竿を操作することになる。
【００２８】
図１ないし図４に示すように、リールシート本体５のうち、釣人が手で握る領域は、リールシート本体５よりも軟質なグリップ部材２０で被覆されている。グリップ部材２０は、手で握った時のフィット感に優れ、かつ手が滑り難い材料、例えばウレタン系、スチレン系、オレフィン系の熱可塑性エラストマーあるいは合成ゴムのようなゴム状弾性体で形成するのが好ましく、さらにポリウレタン、塩化ビニルのような熱可塑性樹脂を用いることもできる。
【００２９】
本実施の形態では、グリップ部材２０は、例えば二色成形機を用いてリールシート本体５と一体的に射出成形されている。そのため、リールシート本体５とグリップ部材２０とは、互いに密着している。
【００３０】
グリップ部材２０は、二色成形機を用いた射出成形によって成形することに限らず、例えばインサート成形によって成形するようにしてもよい。さらに、リールシート本体５とグリップ部材２０とを個別に成形した後、これら両者を互いに接着してもよい。
【００３１】
図４に示すように、グリップ部材２０は、本体部２１と延出部２２とを備えている。本体部２１は、固定フード１０の前方から載置面７の反対側にかけての領域をリールシート本体５の周方向に連続して覆うような筒状をなしている。
【００３２】
本体部２１は、リールシート本体５を手で握った時に、人差し指f2の腹が接する第１の領域２１ａと、手のひら、中指f3の指先および薬指f4の指先が接する第２の領域２１ｂとを有している。
【００３３】
第１の領域２１ａは、固定フード１０の直前に位置している。第１の領域２１ａに複数の第１の窪み部２３が形成されている。第１の窪み部２３は、例えばリールシート本体５の周方向に沿う溝状をなすとともに、リールシート本体５の軸方向に間隔を存して並んでいる。
【００３４】
第２の領域２１ｂは、載置面７の反対側に位置している。第２の領域２１ｂに複数の第２の窪み部２４が形成されている。第２の窪み部２４は、例えば円形の小さな凹みであって、第２の領域２１ｂの広範囲に亘ってマトリクス状に分散して配置されている。
【００３５】
図４および図７に示すように、本体部２１は、第２の領域２１ｂの左右の側縁部から載置面７に向けて延びる一対の側部２５ａ，２５ｂを有している。延出部２２は、側部２５ａ，２５ｂの間に跨るように載置面７の上を横切る帯状をなしている。
【００３６】
言い換えると、延出部２２は、リールシート本体５の周方向に沿うように載置面７の上に位置するとともに、リールシート本体５およびリール脚３の連結部４の曲率に沿うように湾曲している。したがって、延出部２２に対応する位置では、グリップ部材２０は、延出部２２と協働してリールシート本体５を周方向に連続して取り囲んでいる。
【００３７】
さらに、延出部２２は、載置面７を全面的に覆うことなく載置面７の一部のみを覆っている。このため、延出部２２は、載置面７にリール脚３の連結部４を固定した時に、リール脚４の連結部４の一端４ａと他端４ｂとの間に位置している。
【００３８】
図５に最もよく示されるように、リールシート本体５の外面のうち、グリップ部材２０で被覆される領域に嵌合凹部２７が形成されている。嵌合凹部２７は、グリップ部材２０の本体部２１がきっちりと嵌まり込むように、本体部２１と同形状に凹んでいる。
【００３９】
本実施の形態によると、グリップ部材２０の本体部２１の厚みと、嵌合凹部２７の深さとは同等となっている。この結果、リールシート本体５の外面と本体部２１の外面とが面一に連続し、リールシート本体５を手で握った時に違和感が生じることはない。
【００４０】
加えて、本実施の形態では、嵌合凹部２７と本体部２１の縁との境界部分および本体部２１と側部２５ａ，２５ｂとの境界部分に、夫々ライン状の窪み２８が形成されている。窪み２８は、リール脚固定装置２の外観上の一つのアクセントとなるとともに、滑り止めを兼ねている。
【００４１】
図５に示すように、リールシート本体５の嵌合凹部２７は、載置面７に位置する凹所２７ａを含んでいる。凹所２７ａは、グリップ部材２０の延出部２２に対応するように、載置面７をリールシート本体５の径方向に横切っている。グリップ部材２０の延出部２２は、凹所２７ａにきっちりと嵌まり合っている。
【００４２】
グリップ部材２０の延出部２２は、載置面７からリール脚３が取り外されている自由状態において載置面７から僅かに突出している。延出部２２の突出高さは、例えば０．５ｍｍ程度に規定されている。
【００４３】
図５および図７に示すように、リールシート本体５は、凹所２７ａの底面から突出する凸部２９を有している。凸部２９は、グリップ部材２０の延出部２２に対応する位置に形成されて、リールシート本体５の軸方向に延びている。
【００４４】
延出部２２は、凹所２７ａの底面に向けて開口する溝状の凹部３０を有している。凸部２９と凹部３０は、互いにきっちりと嵌まり合っている。これにより、リールシート本体５とグリップ部材２０との相対的な回り止めがなされている。
【００４５】
魚釣用リールのリール脚３をリールシート本体５に固定するには、まず、リール脚３の連結部４をリールシート本体５の載置面７に導き、連結部４の一端４ａを固定フード１０の開口１１に挿入する。
【００４６】
次に、移動フード１３のナット部材１５を締め付け方向に回転させる。この回転により、フード本体１４がナット部材１５と一緒に固定フード１０に近づく方向に移動し、フード本体１４の膨出部１６が連結部４の他端４ｂに被さる。
【００４７】
言い換えると、膨出部１６の開口１７に連結部４の他端４ｂが入り込む。この状態でさらにナット部材１５を締め付けると、リール脚３の連結部４が固定フード１０と移動フード１３との間で挟み込まれるとともに、これら両フード１０，１３を介して載置面７に向けて押圧される。
【００４８】
載置面７の一部は、グリップ部材２０の延出部２２によって覆われている。延出部２２は、載置面７から僅かに突出しているので、リール脚３の連結部４が固定フード１０および移動フード１３を介して載置面７に押し付けられると、延出部２２がリールシート本体５と連結部４との間で圧縮されて、連結部４に弾性的に密着する。
【００４９】
この結果、リール脚３の連結部４と延出部２２との接触部分に外部からの負荷に対抗し得るような摩擦力が付与される。
【００５０】
このような本発明の第１の実施の形態によれば、軟質なグリップ部材２０の延出部２２がリールシート本体５の周方向に沿うように載置面７を横切っているので、この延出部２２に対応する位置では、リールシート本体５が全周に亘ってグリップ部材２０で覆われている。
【００５１】
したがって、グリップ部材２０の延出部２２は、リール脚３の連結部４をリールシート本体５の周方向に連続する円周面で受け止めることができ、リール脚３の連結部４の幅寸法がいずれの場合も、連結部４の両側部が延出部２２から食み出すことはない。
【００５２】
よって、グリップ部材２０を利用してリール脚３を確実に受け止めることができ、特にリールシート本体５の周方向へのリール脚３のぐらつき・ずれを防止することができる。
【００５３】
しかも、グリップ部材２０は、リールシート本体５よりも柔らかいので、手に馴染み易いとともに、リールシート本体５を手で掴んだ時の感触が良好となる。そのため、リール脚３のぐらつきを防止できることと合わせて、実際に魚を釣る時の釣竿の操作性が向上する。
【００５４】
さらに、上記構成によると、延出部２２に対応する位置では、グリップ部材２０がリールシート本体５の周方向に連続しているので、載置面７からの延出部２２の剥離や浮き上がりを防止できる。そのため、延出部２２を載置面７の定位置に確実に固定できる。
【００５５】
それとともに、リールシート本体５の凹所２７ａの底面から突出する凸部２９は、リールシート本体５の軸方向に延びるとともに、延出部２２の凹部３０に嵌合している。加えて、凸部２９と凹部３０との嵌合部分は、載置面７にリール脚３を固定した時に、リール脚３の連結部４によってリールシート本体５とは反対側から押圧される。そのため、凹部３０が凸部２９に向けて付勢され、凸部２９と凹部３０との嵌合状態が維持される。
【００５６】
この結果、リールシート本体５に対する延出部２２の回り止めが確実となり、リール脚３を受け止める延出部２２がリールシート本体５の周方向にずれ動くのを防止できる。
【００５７】
その上、柔軟なグリップ部材２０は、リールシート本体５の外面の嵌合凹部２７に嵌まり込んでいる。これにより、グリップ部材２０とリールシート本体５との相対的な位置が精度よく定まり、リールシート本体５の軸方向へのグリップ部材２０のずれを確実に防止できる。
【００５８】
本発明は上記第１の実施の形態に特定されるものではなく、発明の主旨を逸脱しない範囲内で種々変形して実施可能である。
【００５９】
例えば、図９は本発明の第２の実施の形態を開示している。この第２の実施の形態は、グリップ部材２０の延出部２２の構成が第１の実施の形態と相違している。それ以外のリール脚固定装置２の構成は、第１の実施の形態と同様である。このため、第２の実施の形態において、第１の実施の形態と同一の構成部分には同一の参照符号を付して、その説明を省略する。
【００６０】
図９に示すように、グリップ部材２０の延出部２２は、リール脚３の連結部４と向かい合う外面４１を有している。この外面４１に複数の突起部４２が一体に形成されている。突起部４２は、例えば連結部４の長手方向に延びているとともに、リール脚３の幅方向に間隔を存して並んでいる。
【００６１】
突起部４２は、載置面７の上にリール脚３を固定した時に、リール脚３の連結部４によって弾性的に押し潰される。これにより、連結部４と延出部２２との接触圧力を充分に確保することが可能となり、連結部４と延出部２２との接触部分に生じる摩擦力が増大する。
【００６２】
このような第２の実施の形態によれば、グリップ部材２０の延出部２２によってリール脚３を強固に受け止めることができ、リールシート本体５の周方向へのリール脚３のぐらつき・ずれを防止することができる。
【００６３】
なお、上記第１の実施の形態では、グリップ部材の回り止めをなす凸部および凹部を夫々リールシート本体および延出部に一つづつ形成しているが、本発明はこれに限定されない。例えばリールシート本体の外面に複数の凸部を周方向に間隔を存して形成するとともに、グリップ部材の内面に複数の凹部を周方向に間隔を存して形成し、これら凸部と凹部を互いに嵌合させるようにしてもよい。
【００６４】
この構成によれば、リールシート本体とグリップ部材とが周方向に沿う複数個所で互いに噛み合うので、リールシート本体との周方向へのグリップ部材の移動をより確実に防止でき、グリップ部材とリールシート本体との一体感が向上するといった利点がある。
【００６５】
さらに、リールシート本体の外面に凹部を形成するとともに、グリップ部材の内面に凹部に嵌合可能な凸部を形成してもよい。
【図面の簡単な説明】
【００６６】
【図１】本発明の第１の実施の形態において、リール脚が固定されたリール脚固定装置を手で握った状態を示す側面図。
【図２】本発明の第１の実施の形態に係るリール脚固定装置の側面図。
【図３】本発明の第１の実施の形態に係るリール脚固定装置の一部を断面で示す側面図。
【図４】（Ａ）は、グリップ部材で被覆された本発明の第１の実施の形態に係るリールシート本体の側面図。            （Ｂ）は、グリップ部材で被覆された本発明の第１の実施の形態に係るリールシート本体の底面図。
【図５】本発明の第１の実施の形態に係るリールシート本体の斜視図。
【図６】図４(Ａ)のF6-F6線に沿う断面図。
【図７】図４(Ａ)のF7-F7線に沿う断面図。
【図８】図３のF8-F8線に沿う断面図。
【図９】本発明の第２の実施の形態に係るリール脚固定装置の断面図。
【符号の説明】
【００６７】
３…リール脚、５…リールシート本体、７…載置面、２０…グリップ部材、２２…延出部。
【図１】
2008029297.tif 000003
【図２】
2008029297.tif 000004
【図３】
2008029297.tif 000005
【図４】
2008029297.tif 000006
【図５】
2008029297.tif 000007
【図６】
2008029297.tif 000008
【図７】
2008029297.tif 000009
【図８】
2008029297.tif 000010
【図９】
2008029297.tif 000011